(57)【特許請求の範囲】
【請求項１】
建物天井下地において、溝開口を横向きにして水平配設された溝形材からなる野縁受けに対し、その下位側で溝開口を上向きにして直交配置させるリップ付き溝形材からなる野縁を、両者の交叉部でクリップを介して取り付ける野縁取付構造であって、
前記クリップが互いに独立した一対のクリップ金具よりなり、
各クリップ金具は、下端部の左右両側に各々野縁のリップ部の裏面側に係合させる係合突起を設けた垂直基板部と、該垂直基板部の上端から後方へ張出する野縁受け係止部と、該垂直基板部の左右一側からＬ字形に曲折して前方へ突出するビス止め突片とを有し、
前記ビス止め突片にはビス挿通孔が形成されると共に、該ビス止め突片と前記垂直基板部との間で野縁のリップ部を跨ぐ跨嵌部が形成され、
両クリップ金具同士を前記野縁受け係止部からの延設部において相互に結合する結合手段を備え、
各々前記係合突起を野縁のリップ部の裏面側に係合して後面同士で対向する前記一対のクリップ金具により、野縁受けを両側から挟み付ける形で、該野縁受けの上部フランジ上に両クリップ金具の野縁受け係止部を係止させ、両クリップ金具同士を前記結合手段によって結合すると共に、野縁の両側側壁部の外面側に各々当接させた各クリップ金具の前記ビス止め突片をビス挿通孔を通して該側壁部にビス止めするように構成されてなる野縁取付構造。
【請求項２】
各クリップ金具の野縁受け係止部が野縁受けの上部フランジの１／２幅より狭幅の水平片からなると共に、前記延設部が該野縁受け係止部の端縁から立ち上がる直立片からなり、前記結合手段が両クリップ金具の対向する前記延設部同士をねじ止めするものである請求項１に記載の野縁取付構造。
【請求項３】
各クリップ金具の垂直基板部の両係合突起を含む下縁部が後方へ折り曲げられて補強フランジ部を形成する請求項１又は２に記載の野縁取付構造。
【発明の詳細な説明】
【技術分野】
【０００１】
本発明は、建物天井下地において、溝開口を横向きにして水平配設された溝形材からなる野縁受けに、その下位側で溝開口を上向きにして直交配置させるリップ付き溝形材からなる野縁を取り付けるための野縁取付構造に関する。
【背景技術】
【０００２】
一般的に建物の天井下地構造では、例えば図７に示すように、複数の吊りボルトＢが天井スラブＳに埋設されたインサートナットＮに上端部を螺着して垂設され、これら吊りボルトＢの下端部に取り付けた略上向き開放コ字形のハンガー金具Ｈにより、溝開口１０を横向きにした溝形材からなる野縁受け１が水平に支持されると共に、その下位側で溝開口２０を上向きにして直交配置させるリップ付き溝形材からなる野縁２がクリップ８を介して該野縁受け１に吊支されている。この場合のクリップ８は、一枚の金属板体から打ち抜き及び曲げ加工したもので、垂直基板部８１の下端部の左右両側に設けた係合突起８２，８２を野縁２のリップ部２１，２１の裏面側に係合させると共に、該垂直基板部８１の上端部に設けた下向き開放コ字形のフック部８３を野縁受け１に掛止するようになっている。Ｐは野縁２の下面側にビス止めされる天井パネルである。なお、建物躯体側の下面がデッキプレートにて構成される場合、吊りボルトＢは該デッキプレートの溝部に取り付けた吊元金具に上端部を螺着するのが普通である。
【０００３】
しかして、図示の天井下地構造では野縁受け１と野縁２とが離間した状態になるが、特に耐風圧天井下地等としてがたつき防止の目的で、野縁受けに野縁を密接状態で吊支させるために、クリップのフック部を吊支時に折り曲げて野縁受けに掛止させるものも多用されている（例えば、特許文献１，２）。また、折り曲げ式フック部を有するクリップの野縁側に対する係合強化のために、その垂直基板部の下端部に左右２対の係合突起を設けること（特許文献３）も提案されている。更に、図８（ａ）（ｂ）に示すように、クリップ９を一対のクリップ金具９０，９０より構成し、各々下端の係合突起９１，９１を野縁２のリップ部２１，２１に係合させた両クリップ金具９０，９０で野縁受け１を両側から挟み付ける形で、両クリップ金具９０，９０の上端の断面Ｌ字状の係合段部９２，９２を野縁受け１の上部フランジ１ａに係合すると共に、両クリップ金具９０，９０を係合段部９２，９２の対向部でボルト９３とナット９４にて締め付け固定するようにしたものも知られる（特許文献３の図８）。
【先行技術文献】
【特許文献】
【０００４】
【特許文献１】特開平０８−３３８１００号公報
【特許文献２】特開２００７−２４７２１７号公報
【特許文献３】特開２００４−１３１９２８号公報
【発明の概要】
【発明が解決しようとする課題】
【０００５】
しかしながら、クリップとして、上記従来の折り曲げ式フック部を有するもの、上記従来提案のような左右２対の係合突起を有するもの、一対のクリップ金具からなるもの等を用いた天井下地構造においても、地震等による大きな揺れが加わった場合に、野縁受けと野縁との間で相互に捩れるような振れ動きを生じ、クリップが野縁から外れて天井部の破壊及び落下事故を生起する懸念があった。
【０００６】
本発明は、上述の事情に鑑みて、野縁取付構造として、野縁受けに対して野縁をがたつきのない状態に容易に且つ能率よく取付け施工でき、しかも取付け施工後に地震等による大きな揺れが加わっても、野縁受けと野縁との強固な固定状態が維持され、天井部の破壊及び落下事故を確実に防止できるものを提供することを目的としている。
【課題を解決するための手段】
【０００７】
上記目的を達成するための手段を図面の参照符号を付して示せば、請求項１の発明は、建物天井下地において、溝開口１０を横向きにして水平配設された溝形材からなる野縁受け１に対し、その下位側で溝開口２０を上向きにして直交配置させるリップ付き溝形材からなる野縁２を、両者１，２の交叉部でクリップ３を介して取り付ける野縁取付構造であって、クリップ３が互いに独立した一対のクリップ金具３０，３０よりなり、各クリップ金具３０は、下端部の左右両側に各々野縁２のリップ部２１，２１の裏面側に係合させる係合突起３２，３２を設けた垂直基板部３１と、該垂直基板部３１の上端から後方へ張出する野縁受け係止部３３と、該垂直基板部３１の左右一側からＬ字形に曲折して前方へ突出するビス止め突片３４とを有し、ビス止め突片３４にはビス挿通孔３５が形成されると共に、該ビス止め突片３４と垂直基板部３１との間で野縁１のリップ部２１を跨ぐ跨嵌部３６が形成され、両クリップ金具３０，３０同士を野縁受け係止部３３からの延設部３７において相互に結合する結合手段（ボルト４，ナット５）を備え、各々係合突起３２，３２を野縁２のリップ部２１，２１の裏面側に係合して後面同士で対向する一対のクリップ金具３０，３０により、野縁受け１を両側から挟み付ける形で、該野縁受け１の上部フランジ１ａ上に両クリップ金具３０，３０の野縁受け係止部３３，３３を係止させ、両クリップ金具３０，３０同士を結合手段４，５によって結合すると共に、野縁２の両側側壁部２ａ，２ａの外面側に各々当接させた各クリップ金具３０のビス止め突片３４をビス挿通孔３５を通して該側壁部２ａにビス止めするように構成されてなる。
【０００８】
請求項２の発明は、上記請求項１の野縁取付構造において、各クリップ金具３０の野縁受け係止部３３が野縁受け１の上部フランジ１ａの１／２幅より狭幅の水平片からなると共に、延設部３７が該野縁受け係止部３３の端縁から立ち上がる直立片からなり、結合手段４，５が両クリップ金具３０，３０の対向する延設部３７，３７同士をねじ止めするものである構成としている。
【０００９】
請求項３の発明は、上記請求項１又は２の野縁取付構造において、各クリップ金具３０の垂直基板部３１の両係合突起３２、３２を含む下縁部が後方へ折り曲げられて補強フランジ部３８を形成するものとしている。
【発明の効果】
【００１０】
次に、本発明の効果について図面の参照符号を付して示す。請求項１の発明に係る野縁取付構造では、野縁受け１に対して野縁２を取り付けるクリップ３が一対のクリップ金具３０，３０にて構成され、各々係合突起３２，３２を野縁２のリップ部２１，２１の裏面側に係合して後面同士で対向する両クリップ金具３０，３０により、野縁受け１を両側から挟み付ける形で、該野縁受け１の上部フランジ１ａに両クリップ金具３０，３０の野縁受け係止部３３，３３を係止させ、両クリップ金具３０，３０同士を結合手段（ボルト４，ナット５）によって結合すると共に、野縁２の両側側壁部２ａ，２ａの外面側に各々当接させた各クリップ金具３０のビス止め突片３４をビス挿通孔３５を通して該側壁部２ａにビス止めするようにしている。従って、この野縁取付構造によれば、野縁受け１と野縁２とをクリップ３を介して容易にがたつきのない状態に結合固定できる上、該クリップ３の結合した両クリップ金具３０，３０が野縁受け１を両側から挟持した状態で野縁２の両側側壁部２ａ，２ｂに対してもビス止めされるから、取付け施工後に地震等による大きな揺れが加わっても、野縁受け１と野縁２との強固な固定状態が維持され、もって天井部の破壊及び落下事故を確実に防止できる。
【００１１】
請求項２の発明によれば、各クリップ金具３０の野縁受け係止部３３が野縁受け１の上部フランジ１ａの１／２幅より狭幅の水平片からなると共に、延設部３７が該野縁受け係止部３３の端縁から立ち上がる直立片からなり、両クリップ金具３０，３０の対向する延設部３７，３７同士をねじ止めする構成であるから、両クリップ金具３０，３０の結合時に折り曲げ操作を要さず、もって能率よく容易に取付け施工を行うことができ、また天井部の改装や補修等で野縁２を野縁受け１から取り外す際にも、両クリップ金具３０，３０の曲げ戻しが不要であって作業性に優れると共に、両クリップ金具３０，３０を曲げ戻しによる疲労劣化のない状態で再使用できるという利点がある。
【００１２】
請求項３の発明によれば、各クリップ金具３０の垂直基板部３１の両係合突起３２、３２を含む下縁部が補強フランジ部３８を形成するから、両係合突起３２、３２による野縁２の支承強度が増大することになるが、該補強フランジ部３８はビス止め突片３４とは逆方向に突出しているため、ビス止め突片３４のビス止めに支障を生じない。
【図面の簡単な説明】
【００１３】
【図１】本発明の一実施形態に係る野縁取付構造を示す斜視図である。
【図２】同野縁取付構造に用いるクリップのクリップ金具を示す斜視図である。
【図３】クリップ金具の曲げ加工前の展開状態を示す平面図である。
【図４】同クリップ金具の野縁への嵌装操作を示し、（ａ）はクリップ金具を斜めにして嵌め込む状態の横断平面図、（ｂ）はクリップ金具の嵌装後の横断平面図である。
【図５】同野縁取付構造の要部の縦断側面図である。
【図６】同野縁取付構造の要部の縦断正面図である。
【図７】従来のクリップを使用した天井下地構造の一例を示す斜視図である。
【図８】従来の他のクリップを使用した野縁取付構造を示し、（ａ）は縦断正面図、（ｂ）は縦断側面図である。
【発明を実施するための形態】
【００１４】
以下に、本発明に係る野縁取付構造の一実施形態について、図面を参照して具体的に説明する。なお、本実施形態における野縁及び野縁受けには、図７及び図８で示す従来構成と同じ符号を附している。
【００１５】
この野縁取付構造では、図１に示すように、溝開口１０を横向きにして水平配設された溝形材からなる野縁受け１に対し、その下位側で溝開口２０を上向きにして直交配置させるリップ付き溝形材からなる野縁２を、両者１，２の交叉部でクリップ３を介して取り付けるが、該クリップ３が互いに独立した同一の形態及びサイズを有する一対のクリップ金具３０，３０にて構成されている。なお、野縁受け１は、既述した従来の天井下地構造と同様に、例えば図８の如く建物天井部から垂下する吊りボルトＢにハンガー金具Ｈを介して吊支されている。また、野縁２には底壁部２ａが幅広の所謂ダブルタイプのものを例示している。
【００１６】
クリップ３を構成する各クリップ金具３０は、図２に示すように、略矩形の垂直基板部３１の下部左右両側に、切欠３１ａ、３１ｂによって左右一対の上向きフック状をなす係合突起３２、３２が形成されると共に、該垂直基板部３１の上端に、背面側へ張出する水平片からなる野縁受け係止部３３と、該野縁受け係止部３３の端縁から立ち上がる直立片からなる延設部３７とが一体形成され、また垂直基板部３１の左右一側（図示では左側）からＬ字形に曲折して前方へ突出するビス止め突片３４を有している。そして、ビス止め突片３４と垂直基板部３１との間で野縁１のリップ部２１を跨ぐ跨嵌部３６が形成され、更に垂直基板部３１の両係合突起３２、３２を含む下縁部が後方へ折り曲げられて補強フランジ部３８を形成している。なお、垂直基板部３１の中央部３１ａは剛性強化のために前方へ膨出し、またビス止め突片３４の下部にはビス挿通孔３５が、延設部３７の中央にはボルト挿通孔３７ａがそれぞれ穿設されている。
【００１７】
このようなクリップ金具３０は、金属板材を図３の如く打ち抜いたのち、プレス及び曲げ加工によって図示破線部の折り曲げ及び膨出（垂直基板部３１の中央部３１ａ）を行って製作される。ここで、垂直基板部３１の切欠３１ａ，３１ｂによる最狭幅ｗ１は野縁２のリップ部２１，２１間の開き幅より若干狭く、補強フランジ部３８を折り曲げ後の係合突起３２、３２の外端間の幅ｗ２は野縁２の内幅より若干狭く、各係合突起３２の幅ｗ３は野縁２のリップ部２１の内幅よりも狭く、野縁受け係止部３３の幅ｗ４は野縁受け１の上部フランジ１ａの１／２幅よりも若干狭く、それぞれ設定される。また、折り曲げ形成した野縁受け係止部３３と補強フランジ部３８との内高ｈは、野縁受け１の上下幅に野縁２の板厚を加えた値に略等しく設定される。更に、製作後のクリップ金具３０における跨嵌部３６の開き幅、つまり図２における係合突起３２の外縁とビス止め突片３４の内縁との間隔ｄは、野縁２のリップ部２１の外幅よりも広く設定される。
【００１８】
上記一対のクリップ金具３０，３０からなるクリップ３を用いて野縁受け１に野縁２を取り付けるには、まず両クリップ金具３０，３０が後面側で対向する状態で、各々の係合突起３２、３２を野縁２のリップ部２１，２１の裏面側に係合させる。この係合操作では、係合突起３２、３２の外端間の幅ｗ２が野縁２のリップ部２１，２１間の開き幅よりも大きいため、図４（ａ）に示すように、各クリップ金具３０を垂直基板部３１が野縁２の幅方向に対して平面視で斜めになる姿勢で、且つ跨嵌部３６が一方のリップ部２１を跨ぐ位置として、上方から野縁２の内側に嵌め込み、この状態で矢印ａのように該クリップ金具３０を旋回させると、図４（ｂ）に示すように、両係合突起３２、３２がリップ部２１，２１の裏面側に配置すると共に、ビス止め突片３４が野縁２の側壁部２ａの外面側に当接する形になる。
【００１９】
かくして両クリップ金具３０，３０を野縁２に嵌装したのち、両クリップ金具３０，３０間に野縁受け１が配置するように該野縁２を保持し、野縁受け１の上部フランジ１ａ上に両側から両クリップ金具３０，３０の野縁受け係止部３３，３３を係止させ、もって両クリップ金具３０，３０間で野縁受け１を挟み付けた状態で、両クリップ金具３０，３０の対向する延設部３７，３７のボルト挿通孔３７ａに一方側からボルト４を通し、他方側から該ボルト４にナット５を螺着して締め付ける。これにより、野縁２はクリップ３を介して野縁受け１に吊支され、該野縁２の上面が野縁受け１の下部フランジ１ｂの下面に略接する形になるが、次いで図５及び図６に示すように、両クリップ金具３０，３０のビス止め突片３４，３４を野縁２の両側の側壁部２ａ，２ａに各々ビス止めする。このビス止めは、ビス止め突片３４のビス挿通孔３５に外側からねじ込んだビス６により、野縁２の側壁部２ａを突き破って固定するものである。
【００２０】
このような野縁取付構造では、野縁受け１と野縁２とがクリップ３を介して容易にがたつきのない状態に結合固定される上、該クリップ３の結合した両クリップ金具３０，３０は、野縁受け１を両側から強固に挟持した状態で、野縁２の両側側壁部２ａ，２ｂに対してもビス止め固定されている。従って、取付け施工後に地震等による大きな揺れが加わった際に、野縁受け１と野縁２との間で相互に捩れるような振れ動きを生じても、クリップ３が野縁２から外れることがなく、野縁受け１と野縁２との強固な固定状態が維持されるから、天井部の破壊及び落下事故が確実に防止される。
【００２１】
本発明においては、クリップ３の両クリップ金具３０，３０の結合手段として、適当な掛合形状に設定した延設部３７，３７同士を折り曲げて互いに結合させる方式や、各延設部３７を野縁受け係止部３３の左右片側から突出する突片状として、野縁受け１を挟み付けた一方側のクリップ金具３０の延設部３７を他方側のクリップ金具３０の垂直基板部１に掛けるように折り曲げて結合する方式も採用できる。ただし、実施形態のように両クリップ金具３０，３０を上端の延設部３７，３７同士でねじ止めする構成とすれば、結合のための折り曲げ操作が不要となるため、能率よく容易に取付け施工を行うことができ、また天井部の改装や補修等で野縁２を野縁受け１から取り外す際にも、両クリップ金具３０，３０を簡単に分離できて作業性に優れると共に、両クリップ金具３０，３０を曲げ戻しによる疲労劣化のない状態で繰り返し再使用できるという利点がある。なお、実施形態ではクリップ３の両クリップ金具３０，３０をボルト４とナット５によって結合しているが、ナット５を用いる代わりに、一方のクリップ金具３０における延設部３７のボルト挿通孔３７ａをバーリング加工による雌ねじ孔としてもよい。
【００２２】
また、実施形態では、各クリップ金具３０の垂直基板部３１の両係合突起３２、３２を含む下縁部が補強フランジ部３８を形成することにより、両係合突起３２、３２による野縁２の支承強度が増大する利点がある。しかして、該補強フランジ部３８はビス止め突片３４とは逆方向に突出しているため、ビス止め突片３４のビス止めに支障を生じない。
【００２３】
一方、実施形態の野縁取付構造では野縁２として幅広の所謂ダブルタイプのものを例示しているが、該野縁２が例示の１／２幅である所謂シングルタイプのものでは、クリップ３の両クリップ金具３０，３０としても該シングルタイプの野縁２に対応した左右幅の小さいものを採用することは言うまでもない。その他、本発明の野縁取付構造においては、クリップ金具３０におけるビス止め突片３４の形状、垂直基板部３１の剛性強化のための凹凸構成等、細部構成については実施形態以外に種々設計変更可能である。
【符号の説明】
【００２４】
１        野縁受け
１ａ      上部フランジ
１０      溝開口
２        野縁
２ａ      側壁部
２０      溝開口
２１      リップ部
３        クリップ
３０      クリップ金具
３１      垂直基板部
３２      掛合突起
３３      野縁受け係止部
３４      ビス止め突片
３５      ビス挿通孔
３６      跨嵌部
３７      延設部
３８      補強フランジ部
４        ボルト（結合手段）
５        ナット（結合手段）
６        ビス
【図１】
0005702264.tif 000002
【図２】
0005702264.tif 000003
【図３】
0005702264.tif 000004
【図４】
0005702264.tif 000005
【図５】
0005702264.tif 000006
【図６】
0005702264.tif 000007
【図７】
0005702264.tif 000008
【図８】
0005702264.tif 000009